(57)【特許請求の範囲】
【請求項１】
造営材の表面側に配設して用いる配線器具用部材であって、配線器具を露出させる開口部を有し、かつ電気絶縁性を有する部材本体と、前記部材本体の管理情報を記憶した記憶部と、前記管理情報を、締め付け力を含む施工情報と対応付けるために、前記管理情報を含む無線信号を外部機器へ送信する送信部と、前記送信部を制御する制御部と、前記記憶部と前記送信部と前記制御部とに電源を供給する電源部と、を備える、
ことを特徴とする配線器具用部材。
【請求項２】
前記外部機器からの前記部材本体に関連する情報を含む無線信号を受信するための受信部を備え、前記制御部は、前記受信部で受信した無線信号に含まれている情報を前記記憶部に記憶させるように構成されている、
ことを特徴とする請求項１記載の配線器具用部材。
【請求項３】
外部の給電装置から受電するように構成される受電部を備え、前記受電部は、前記電源部に電力を供給する、
ことを特徴とする請求項１又は２記載の配線器具用部材。
【請求項４】
前記受電部は、前記給電装置から磁気結合若しくは電界結合若しくは電磁界結合により受電するように構成されている、
ことを特徴とする請求項３記載の配線器具用部材。
【請求項５】
前記部材本体は、配線器具を取り付けることができるように構成された取付枠である、
ことを特徴とする請求項４記載の配線器具用部材。
【請求項６】
前記部材本体は、取付枠に取り付けることができるように構成されたプレート枠である、
ことを特徴とする請求項４記載の配線器具用部材。
【請求項７】
前記部材本体は、プレート枠に取り付けることができるように構成された化粧プレートである、
ことを特徴とする請求項４記載の配線器具用部材。
【請求項８】
前記受電部は、前記部材本体に設けられ前記開口部を囲んでいる、
ことを特徴とする請求項３乃至７のいずれか一項に記載の配線器具用部材。
【請求項９】
前記受電部は、金属箔により形成されている、
ことを特徴とする請求項３乃至８のいずれか一項に記載の配線器具用部材。
【請求項１０】
前記受電部は、金属箔であり、前記部材本体の前記開口部を塞ぐように配置されたフィルム状シートの周部に内蔵されている、
ことを特徴とする請求項５又は６記載の配線器具用部材。
【請求項１１】
前記受電部は、金属線からなるコイルである、
ことを特徴とする請求項３乃至８のいずれか一項に記載の配線器具用部材。
【発明の詳細な説明】
【技術分野】
【０００１】
本発明は、配線器具用部材に関する。
【背景技術】
【０００２】
従来、フラッシュプレート及びそれを用いた埋込形配線装置が知られている（特許文献１）。
【０００３】
埋込形配線装置は、配線器具と、配線器具を支持するとともにプレートねじ孔を備え配線ボックスなどに取り付けられて配線器具を壁面に埋設する取付枠と、フラッシュプレートと、を具備している。
【０００４】
フラッシュプレートは、プレート枠と、化粧プレートと、を具備している。
【先行技術文献】
【特許文献】
【０００５】
【特許文献１】特開平１０−２８５７４１号公報
【発明の概要】
【発明が解決しようとする課題】
【０００６】
上述の取付枠、プレート枠及び化粧プレート等の配線器具用部材では、施工された状態において外部から配線器具用部材の管理情報を収集することが難しい。
【０００７】
本発明の目的は、施工された状態において外部から管理情報の収集が容易な配線器具用部材を提供することにある。
【課題を解決するための手段】
【０００８】
本発明の配線器具用部材は、造営材の表面側に配設して用いる配線器具用部材であって、配線器具を露出させる開口部を有し、かつ電気絶縁性を有する部材本体と、前記部材本体の管理情報を記憶した記憶部と、前記管理情報を、締め付け力を含む施工情報と対応付けるために、前記管理情報を含む無線信号を外部機器へ送信する送信部と、前記送信部を制御する制御部と、前記記憶部と前記送信部と前記制御部とに電源を供給する電源部と、を備える。
【発明の効果】
【０００９】
本発明の配線器具用部材は、施工された状態において外部から管理情報の収集が容易になる。
【図面の簡単な説明】
【００１０】
【図１】図１Ａは、実施形態１の配線器具用部材の概略斜視図である。図１Ｂは、実施形態１の配線器具用部材の概略ブロック図である。
【図２】図２は、実施形態１の配線器具用部材の概略正面図である。
【図３】図３は、実施形態１の配線器具用部材の裏面側から見た概略斜視図である。
【図４】図４は、実施形態１の配線器具用部材を備えた配線装置の概略分解斜視図である。
【図５】図５は、実施形態１の配線器具用部材を備えた配線装置の施工状態の一例を示す概略断面図である。
【図６】図６は、給電装置と受電部とを説明するための概略ブロック図である。
【図７】図７は、外部機器の概略ブロック図である。
【図８】図８は、外部機器の概略構成図である。
【図９】図９は、実施形態１の第１変形例の配線器具用部材の概略正面図である。
【図１０】図１０は、実施形態１の第２変形例の配線器具用部材の概略正面図である。
【図１１】図１１Ａは、実施形態２の配線器具用部材の概略正面図である。図１１Ｂは、実施形態２の配線器具用部材の概略ブロック図である。
【図１２】図１２Ａは、実施形態３の配線器具用部材の裏面側から見た概略斜視図である。図１２Ｂは、実施形態３の配線器具用部材の概略ブロック図である。
【図１３】図１３は、実施形態３の配線器具用部材の概略正面図である。
【発明を実施するための形態】
【００１１】
（実施形態１）
以下では、本実施形態の配線器具用部材１について、図１〜５に基づいて説明する。
【００１２】
配線器具用部材１は、図５に示すように、造営材１００の表面１０１側に配設して用いる配線器具用部材である。配線器具用部材１は、図１に示すように、配線器具３０（図４及び５参照）を露出させる開口部３を有し、かつ電気絶縁性を有する部材本体２と、部材本体２の管理情報を記憶した記憶部４と、を備える。また、配線器具用部材１は、管理情報を含む無線信号を外部機器６００（図７及び８参照）へ送信する送信部５と、送信部５を制御する制御部９と、記憶部４と送信部５と制御部９とに電源を供給する電源部６と、を備える。以上の構成により、配線器具用部材１は、施工された状態において外部から部材本体２の管理情報の収集が容易になる。配線器具用部材１は、記憶部４と送信部５と電源部６とを備える通信モジュール１０が部材本体２に取り付けられている。通信モジュール１０は、例えば、ＩＣタグにより構成される。管理情報としては、例えば、商品情報（シリアル番号、製造番号、品番等）が挙げられる。
【００１３】
配線器具用部材１の各構成要素については、以下に詳細に説明する。
【００１４】
本実施形態における部材本体２は、配線器具３０を取り付けることができるように構成された取付枠２０である。
【００１５】
図４及び５における配線器具３０は、押釦スイッチ３１である。押釦スイッチ３１は、押釦スイッチ３１を操作するための操作ハンドル４０を着脱できるように構成されている。配線器具３０のケース３２の長手方向の両側面には、それぞれ、２つの取付爪３４が突出して形成されている。なお、配線器具３０は、押釦スイッチ３１に限らず、他のスイッチ、調光器、コンセント等でもよい。
【００１６】
取付枠２０は、樹脂製である。これにより、取付枠２０は、電気絶縁性を有している。取付枠２０は、例えば、大角形連用配線器具用の取付枠の規格（ＪＩＳ  Ｃ  ８３７５）を満たすように形成されているのが好ましい。取付枠２０は、一連用取付枠であり、ＪＩＳ規格等で規格化された単位寸法の配線器具を規定方向に３個並べて配置することができる大きさの窓孔２３（開口部３）を有する矩形枠状に形成されている。
【００１７】
取付枠２０は、互いに対向する一対の第１梁部２１と、互いに対向する一対の第２梁部２２とで、窓孔２３を有する矩形枠状に形成されている。窓孔２３の開口形状は、矩形状である。取付枠２０では、正面視において、第１梁部２１が第２梁部２２よりも長い。
【００１８】
各第１梁部２１には、配線器具３０の取付爪３４を１つずつ挿入可能な複数の保持孔２４が形成されている。この構成により、取付枠２０は、窓孔２３に配置される配線器具３０を保持することができる。
【００１９】
各第２梁部２２には、ボックス取付ねじ２５０を通す長孔２５が形成されている。これにより、取付枠２０は、配線用ボックス８００（図５参照）に取り付けることができるように構成されている。配線用ボックス８００は、例えば、造営材１００の裏面１０２側で造営材１００を支持する柱７００（図５参照）等に取り付けられる。配線用ボックス８００は、例えば、固定ねじ７５０により柱７００に取り付けられる。配線用ボックス８００は、例えば、スイッチボックスである。配線用ボックス８００は、この配線用ボックス８００に取付枠２０をボックス取付ねじ２５０により取り付けるための２つの取付部８２５を備えている。取付部８２５は、ボックス取付ねじ２５０が挿通されるねじ挿通孔と、ねじ挿通孔に挿入されたボックス取付ねじ２５０が嵌め合されるナットと、を備えている。
【００２０】
取付枠２０は、造営材１００の表面１０１側に配設される。配線器具３０は、その裏面側の部分が配線用ボックス８００内に配置される。配線器具３０には、少なくとも２本の電線１５が接続される。電線１５は、絶縁被覆電線である。電線１５は、絶縁被覆の一部を剥いで配線器具３０の端子と電気的に接続される。
【００２１】
配線用ボックス８００には、複数本の電線１５を１つの絶縁シース１６内に収めた電源ケーブル１４を通すことが可能な電線挿通孔が形成されている。電源ケーブル１４は、例えば、ＶＶＦケーブルである。
【００２２】
取付枠２０には、この取付枠２０にプレート枠５０（図４参照）を取り付けるためのプレートねじの軸部を嵌め合せるねじ孔（プレート取付用ねじ部）２６が形成されている。ねじ孔２６は、取付枠２０の長手方向において、長孔２５よりも外側に形成されている。
【００２３】
通信モジュール１０は、チップ状に形成されており、取付枠２０の表面に配置されている。通信モジュール１０は、正面視において、第２梁部２２に配置されている。
【００２４】
図４は、配線器具用部材１を備えた配線装置２００の概略分解斜視図である。
【００２５】
配線装置２００は、取付枠２０を含む配線器具用部材１と、取付枠２０に支持される配線器具３０と、操作ハンドル４０と、取付枠２０に取り付けられるプレート枠５０と、プレート枠５０に取り付けられる化粧プレート６０と、を備える。
【００２６】
プレート枠５０は、合成樹脂により形成されている。プレート枠５０は、互いに対向する一対の第１梁部５１と、互いに対向する一対の第２梁部５２とで、窓孔５３を有する矩形枠状に形成されている。窓孔５３の開口形状は、矩形状である。プレート枠５０では、正面視において、第１梁部５１が第２梁部５２よりも長い。プレート枠５０は、取付枠２０の表面側を覆うように配置される。ここで、プレート枠５０は、配線器具用部材１を覆うように配置される。
【００２７】
各第２梁部５２には、プレートねじの軸部が挿通される挿通孔５６が形成されている。これにより、プレート枠５０は、プレートねじにより取付枠２０に取り付けることができるように構成されている。
【００２８】
化粧プレート６０は、プレート枠５０の表面側を覆うように配置される。化粧プレート６０の中央部には、窓孔６３が形成されている。窓孔６３は、操作ハンドル４０を露出させる大きさに形成されている。窓孔６３の大きさは、操作ハンドル４０の大きさ、あるいは、配線器具３０の数、あるいは、配線器具３０の種類、配線器具３０の配置等に応じて適宜変更可能である。
【００２９】
化粧プレート６０は、プレート枠５０に着脱自在に取り付けられる。化粧プレート６０の外周形状は、矩形状である。化粧プレート６０は、裏面から６本のフックが突出して設けられており、フックをプレート枠５０の取付孔５５に挿入して取付孔５５の周部に引っ掛けることにより、プレート枠５０に取り付けることができる。化粧プレート６０は、プレートねじの頭部等を隠して見栄えを良くするための部材である。
【００３０】
配線器具用部材１は、外部機器６００からの部材本体２に関連する情報を含む無線信号を受信するための受信部７を備えるのが好ましい。そして、制御部９は、受信部７で受信した無線信号に含まれている情報を記憶部４に記憶させるように構成されているのが好ましい。部材本体２に関連する情報は、例えば、部材本体２の施工日時、ボックス取付ねじ２５０を配線用ボックス８００の取付部８２５に固定するために用いた工具の識別番号、ボックス取付ねじ２５０の締め付けトルク、プレートねじをねじ孔２６に嵌め合せるための用いた工具の識別番号、プレートねじの締め付けトルク、等である。よって、配線器具用部材１では、外部機器６００から部材本体２に関連する情報を取得して記憶部４に記憶することが可能となる。
【００３１】
受信部７は、通信モジュール１０に設けられているのが好ましい。言い換えれば、通信モジュール１０は、受信部７を備えているのが好ましい。
【００３２】
配線器具用部材１において受信部７を備える場合、電源部６は、記憶部４、送信部５及び受信部７それぞれに、動作に必要な電力を供給するように構成されている。
【００３３】
配線器具用部材１は、外部の給電装置１２（図６参照）から受電するように構成される受電部８を備え、受電部８が電源部６に電力を供給するのが好ましい。これにより、配線器具用部材１に外部の給電装置１２から電力を供給することが可能となる。
【００３４】
受電部８は、給電装置１２から磁気結合により受電するように構成されている。言い換えれば、受電部８は、給電装置１２から電磁誘導により受電するように構成されている。これにより、配線器具用部材１では、プレート枠５０の裏面側に配設された配線器具用部材１の受電部８が、化粧プレート６０の表面側の給電装置１２から非接触で受電することが可能となり、電源部６に電力を給電することが可能となる。受電部８は、受電コイル８１（図６参照）により構成されている。給電装置１２は、例えば、図６に示すように、直流電源１２１と、給電コイル１２２と、励磁回路１２３と、制御回路１２４と、を備える。励磁回路１２３は、直流電源１２１から給電されて給電コイル１２２に励磁電流を流すように構成されている。制御回路１２４は、励磁回路１２３の動作を制御するように構成されている。これにより、受電部８は、給電装置１２から電磁誘導により受電することが可能となる。
【００３５】
受電部８は、部材本体２に設けられ開口部３を囲んでいる。これにより、配線器具用部材１では、受電部８のサイズを比較的大きくすることが可能となり、簡単な構成で、受電部８において受電する電力を大きくすることが可能となる。また、配線器具用部材１では、配線用ボックス８００に取り付ける際、プレート枠５０を取り付ける際に受電部８を取り外す必要がないので、施工後もそのまま使用することができ、建物のリフォーム等の別の機会にも利用することが可能となる。受電コイル８１は、給電装置１２の給電コイル１２２と磁気的に結合されて、給電コイル１２２から電磁誘導により電力を受けるように構成されている。電源部６は、受電コイル８１で受電した電力を所定の電力に変換する機能を有する。電源部６は、例えば、コンデンサ等により構成される。受電コイル８１と通信モジュール１０とは電気的に接続されている。
【００３６】
受電部８は、金属箔により形成されている。これにより、配線器具用部材１では、受電部８の厚さを薄くすることが可能となる。金属箔は、部材本体２に貼り付けられている。
【００３７】
外部機器６００は、例えば、配線器具用部材１の施工現場等で使用される工具１１０である。工具１１０としては、例えば、作業対象を回転させて衝撃力を加えることによって締め付ける電動式のインパクトドライバーがある。
【００３８】
工具１１０は、図７に示すように、制御部１１１と、操作部１１２と、締付部１１３と、測定部１１４と、通信部１１５と、記憶部１１６と、電源部１１７と、を備える。
【００３９】
工具１１０のボディ１４０は、図８に示すように、筒形状の胴体部１４１と、胴体部１４１の周面から径方向に突出する握り部１４２と、を備える。胴体部１４１の軸方向における一端側からは出力軸１３３が突出している。出力軸１３３には、ソケット１３４が設けられている。ソケット１３４には、作業対象の部材に合わせたビット（例えばドライバービット等）が着脱自在に取り付けられる。握り部１４２の一端（図８における下端）には、樹脂製のケース内に電源部１１７を収納した電池パック１４３が着脱自在に取り付けられている。
【００４０】
制御部１１１は、例えば、マイクロコンピュータに所定のプログラムを実行させることにより実現することができる。所定のプログラムは、例えば、記憶部１１６に記憶された制御プログラムを実行することによって、所定の機能を実現する。工具１１０では、制御部１１１等が設けられた回路基板１１８が、握り部１４２の内部に収納されている。
【００４１】
操作部１１２は、握り部１４２に設けられたトリガスイッチ１４４により構成されている。トリガスイッチ１４４が操作されると、トリガスイッチ１４４の引き込み量（操作量）に比例した大きさの操作信号が、制御部１１１に入力される。
【００４２】
締付部１１３は、モータ１３１と、制御部１１１から入力される制御信号に応じてモータ１３１の回転を制御する駆動回路と、を備える。モータ１３１の出力軸の回転は、インパクト機構１３２を介して出力軸１３３に伝達される。出力トルクが所定レベル以下であれば、インパクト機構１３２は、モータ１３１の出力軸の回転を減速して出力軸１３３に伝達するように構成されている。出力トルクが所定レベルを超えると、インパクト機構１３２は、出力軸１３３に打撃力を加えて、作業対象のねじやボルトをねじ込むように構成されている。モータ１３１及びインパクト機構１３２は胴体部１４１内に収納されている。
【００４３】
測定部１１４は締付部１１３による締め付け力を測定する。測定部１１４は、出力軸１３３に取り付けられた磁歪式のトルクセンサ１３５で出力軸１３３に加わったトルクを測定し、トルクセンサ１３５の測定値から締め付け力を求めている。なお、測定部１１４は、インパクト機構１３２が出力軸１３３に加えた打撃の回数を振動センサで計数し、打撃の回数から締め付け力を求めてもよい。
【００４４】
通信部１１５は、例えばＲＦＩＤのように短距離無線で通信を行うことができる通信モジュールである。通信部１１５は、配線器具用部材１との間で無線通信を行うことができるように構成されている。なお、通信部１１５は、例えばBLUETOOTH（登録商標）のように近距離無線で通信を行うことができるように構成されていてもよい。
【００４５】
記憶部１１６は、上述の制御プログラム、工具１１０に個別に割り当てられた識別情報等が記憶されている。記憶部１１６は、半導体メモリにより構成されている。
【００４６】
電源部１１７は、電池パック１４３内に収納されている。電源部１１７は、充電池を備えている。電源部１１７は、握り部１４２から取り外した電池パック１４３を充電器に接続することによって、充電池が充電されるように構成されている。電源部１１７は、充電池に充電された電力で、制御部１１１を含む電気回路とモータ１３１とに動作に必要な電力を供給する。
【００４７】
制御部１１１は、測定部１１４によって測定された締め付け力が、記憶部１１６から読み出した締め付け力の設定値に一致するように、締付部１１３の回転を制御する。測定部１１４によって測定された締め付け力と設定値との誤差が所定の許容範囲（例えば設定値の±２０％）に収まると、制御部１１１は締付部１１３の動作を停止させる。制御部１１１は、測定部１１４によって測定された締め付け力のデータを部材本体２に関連する情報（施工情報）として含む無線信号を、通信部１１５から配線器具用部材１へ送信させる。一方、配線器具用部材１では、受信部７が工具１１０からの無線信号を受信すると、制御部９が、無線信号に含まれていた情報（施工情報）を記憶部４に記憶させる。ここで、制御部９は、自身の管理情報と施工情報とを対応付けて記憶部４に記憶させる。また、制御部９は、記憶部４から管理情報を読み出して管理情報を含む無線信号を送信部５から工具１１０へ送信させる。
【００４８】
工具１１０では、通信部１１５が配線器具用部材１から管理情報を含む無線信号を受信すると、制御部１１１は、管理情報と施工情報とを対応付けて記憶部１１６に記憶させる。これにより、工具１１０では、個々の配線器具用部材１について、どのような施工を行ったかを管理することが可能となる。工具１１０は、配線器具用部材１の通信モジュール１０に対してリーダ／ライタとして機能する。
【００４９】
工具１１０は、通信部１１５を利用して、作業者等が携帯する管理用端末と通信できるように構成してもよい。管理用端末は、例えば、タブレット型のコンピュータ、スマートフォン等の携帯端末の記憶部に、この携帯端末を管理用端末として機能させるためのプログラムを記憶させてあり、このプログラムを実行することにより、管理用端末として機能する。管理用端末の記憶部には、自身の識別番号、通信を行う工具１１０の識別番号等も記憶させてある。管理用端末では、工具１１０との間で通信を行うことにより、配線器具用部材１の管理情報、施工情報等を取得して、管理情報と施工情報とを対応付けて記憶部に記憶させる。これにより、管理用端末では、管理情報と施工情報とを紐付けて管理することが可能となる。管理用端末には、機能拡張用の端末として、ＧＰＳ（Global Positioning System）受信機等が接続されていてもよい。これにより、管理用端末は、ＧＰＳ受信機から入力される（緯度、経度、高度のデータ）から配線器具用部材１の施工場所の位置情報を取得して、位置情報と管理情報と施工情報とを紐付けて管理することが可能となる。管理用端末は、工具１１０との間で、短距離無線で通信を行うのが好ましい。
【００５０】
管理用端末は、インターネットのような公衆回線網を介して管理装置と通信を行う機能を有していてもよい。管理装置は、複数の管理用端末との間で通信を行うことにより、複数の配線器具用部材１の管理情報及び施工情報を一括して管理することが可能となる。管理装置は、個々の配線器具用部材１に関連する部材のメンテナンスや新商品への交換の時期等を立案する機能部を備えるように構成してもよい。配線器具用部材１に関連する部材としては、例えば、配線器具等がある。
【００５１】
図９は、配線器具用部材１の第１変形例の配線器具用部材１ａを示している。配線器具用部材１ａは、配線器具用部材１と基本構成が略同じである。配線器具用部材１ａは、受電部８が、金属箔８１１であり、部材本体２の開口部３を塞ぐように配置されたフィルム状シート８３の周部に内蔵されている点が、配線器具用部材１と相違するだけである。これにより、配線器具用部材１ａでは、フィルム状シート８３は、部材本体２の開口部３を塞ぐように配置されているので、部材本体２に対して受電部８を容易に配置することが可能となる。フィルム状シート８３は、例えば、２枚の透明フィルムの間に金属箔８１１が挟み込まれたシートである。フィルム状シート８３は、部材本体２に接着されている。なお、配線器具用部材１ａは、配線器具用部材１と同様の構成要素について同一の符号を付して説明を適宜省略する。
【００５２】
配線器具用部材１ａに配線器具３０等を取り付けるときには、フィルム状シート８３の中央部を破ったり、或いは切り取ったりして除去すればよい。
【００５３】
図１０は、配線器具用部材１の第２変形例の配線器具用部材１ｂを示している。配線器具用部材１ｂは、配線器具用部材１と基本構成が略同じである。配線器具用部材１ｂでは、受電部８が、金属線からなるコイル８１２である。これにより、配線器具用部材１ｂでは、配線器具用部材１のように受電部８が金属箔により構成されている場合に比べて、受電部８のターン数を多くすることが可能となり、より大きな電力を得ることが可能となる。
【００５４】
（実施形態２）
以下では、本実施形態の配線器具用部材１ｃについて、図１１に基づいて説明する。
【００５５】
配線器具用部材１ｃは、造営材１００（図５参照）の表面１０１側に配設して用いる配線器具用部材である。配線器具用部材１ｃは、配線器具３０（図４参照）を露出させる開口部３を有し、かつ電気絶縁性を有する部材本体２ｃと、部材本体２ｃの管理情報を記憶した記憶部４と、を備える。また、配線器具用部材１ｃは、管理情報を含む無線信号を外部機器６００（図７及び８参照）へ送信する送信部５と、送信部５を制御する制御部９と、記憶部４と送信部５と制御部９とに電源を供給する電源部６と、を備える。以上の構成により、配線器具用部材１ｃは、施工された状態において外部から部材本体２ｃの管理情報の収集が容易になる。配線器具用部材１ｃは、記憶部４と送信部５と電源部６とを備える通信モジュール１０が部材本体２ｃに取り付けられている。通信モジュール１０は、例えば、ＩＣタグにより構成される。管理情報としては、例えば、商品情報（シリアル番号、製造番号、品番等）が挙げられる。
【００５６】
部材本体２ｃは、取付枠に取り付けることができるように構成されたプレート枠５０である。プレート枠５０は、樹脂製である。これにより、プレート枠５０は、電気絶縁性を有している。プレート枠５０は、実施形態１で説明したプレート枠５０と同じ構成なので、同じ構成要素に同一の符号を付して説明を省略する。取付枠は、例えば、実施形態１で説明した取付枠２０である。
【００５７】
配線器具用部材１ｃは、外部機器６００からの部材本体２ｃに関連する情報を含む無線信号を受信するための受信部７を備えるのが好ましい。そして、制御部９は、受信部７で受信した無線信号に含まれている情報を記憶部４に記憶させるように構成されているのが好ましい。部材本体２ｃに関連する情報は、例えば、部材本体２ｃの施工日時、プレートねじを取付枠のねじ孔に嵌め合せるために用いた工具の識別番号、プレートねじの締め付けトルク、等である。よって、配線器具用部材１ｃでは、外部機器６００から部材本体２ｃに関連する情報を取得して記憶部４に記憶することが可能となる。
【００５８】
受信部７は、通信モジュール１０に設けられているのが好ましい。言い換えれば、通信モジュール１０は、受信部７を備えているのが好ましい。通信モジュール１０の基本構成は、実施形態１の配線器具用部材１の通信モジュール１０と同じである。通信モジュール１０は、プレート枠５０の表面に配置されている。通信モジュール１０は、正面視において第２梁部５２に配置されている。
【００５９】
配線器具用部材１ｃにおいて受信部７を備える場合、電源部６は、記憶部４、送信部５及び受信部７それぞれに、動作に必要な電力を供給するように構成されている。
【００６０】
配線器具用部材１ｃは、外部の給電装置１２（図６参照）から受電するように構成される受電部８を備え、受電部８が電源部６に電力を供給するのが好ましい。これにより、配線器具用部材１ｃに外部の給電装置１２から電力を供給することが可能となる。
【００６１】
受電部８は、給電装置１２から磁気結合により受電するように構成されている。言い換えれば、受電部８は、給電装置１２から電磁誘導により受電するように構成されている。これにより、配線器具用部材１ｃでは、化粧プレート６０（図４参照）の裏面側に配設された受電部８が、化粧プレート６０の表面側の給電装置１２から非接触で受電することが可能となり、電源部６に電力を給電することが可能となる。受電部８は、受電コイル８１（図６参照）により構成されている。給電装置１２は、例えば、図６に示すように、直流電源１２１と、給電コイル１２２と、励磁回路１２３と、制御回路１２４と、を備える。励磁回路１２３は、直流電源１２１から給電されて給電コイル１２２に励磁電流を流すように構成されている。制御回路１２４は、励磁回路１２３の動作を制御するように構成されている。これにより、受電部８は、給電装置１２から電磁誘導により受電することが可能となる。
【００６２】
受電部８は、部材本体２ｃに設けられ開口部３（窓孔５３）を囲んでいる。これにより、配線器具用部材１ｃでは、受電部８のサイズを比較的大きくすることが可能となり、簡単な構成で、受電部８において受電する電力を大きくすることが可能となる。また、配線器具用部材１ｃでは、取付枠２０に取り付ける際、化粧プレート６０を取り付ける際に受電部８を取り外す必要がないので、施工後もそのまま使用することができ、建物のリフォーム等の別の機会にも利用することが可能となる。受電コイル８１は、給電装置１２の給電コイル１２２と磁気的に結合されて、給電コイル１２２から電磁誘導により電力を受けるように構成されている。受電コイル８１と通信モジュール１０とは、電気的に接続されている。
【００６３】
受電部８は、金属箔により形成されている。これにより、配線器具用部材１ｃでは、受電部８の厚さを薄くすることが可能となる。金属箔は、部材本体２ｃに貼り付けられている。
【００６４】
外部機器６００（図７及び８参照）は、例えば、配線器具用部材１ｃの施工現場等で使用される工具１１０である。工具１１０としては、例えば、作業対象を回転させて衝撃力を加えることによって締め付ける電動式のインパクトドライバーがある。工具１１０の構成は、実施形態１で説明した構成と同じであり、基本動作も同じである。
【００６５】
制御部１１１は、測定部１１４によって測定された締め付け力のデータを部材本体２ｃに関連する情報（施工情報）として含む無線信号を、通信部１１５から配線器具用部材１ｃへ送信させる。一方、配線器具用部材１ｃでは、受信部７が工具１１０からの無線信号を受信すると、制御部９が、無線信号に含まれていた情報（施工情報）を記憶部４に記憶させる。ここで、制御部９は、自身の管理情報と施工情報とを対応付けて記憶部４に記憶させる。また、制御部９は、記憶部４から管理情報を読み出して管理情報を含む無線信号を送信部５から工具１１０へ送信させる。
【００６６】
工具１１０では、通信部１１５が配線器具用部材１ｃから管理情報を含む無線信号を受信すると、制御部１１１は、管理情報と施工情報とを対応付けて記憶部１１６に記憶させる。これにより、工具１１０では、個々の配線器具用部材１ｃについて、どのような施工を行ったかを管理することが可能となる。工具１１０は、配線器具用部材１ｃの通信モジュール１０に対してリーダ／ライタとして機能する。
【００６７】
（実施形態３）
以下では、本実施形態の配線器具用部材１ｄについて、図１２及び１３に基づいて説明する。
【００６８】
配線器具用部材１ｄは、造営材１００（図５参照）の表面１０１側に配設して用いる配線器具用部材である。配線器具用部材１ｄは、配線器具３０（図４参照）を露出させる開口部３を有し、かつ電気絶縁性を有する部材本体２ｄと、部材本体２ｄの管理情報を記憶した記憶部４と、を備える。また、配線器具用部材１ｄは、管理情報を含む無線信号を外部機器６００（図７及び８参照）へ送信する送信部５と、送信部５を制御する制御部９と、記憶部４と送信部５と制御部９とに電源を供給する電源部６と、を備える。以上の構成により、配線器具用部材１ｄは、施工された状態において外部から部材本体２ｄの管理情報の収集が容易になる。配線器具用部材１ｄは、記憶部４と送信部５と電源部６とを備える通信モジュール１０が部材本体２ｄに取り付けられている。通信モジュール１０は、例えば、ＩＣタグにより構成される。管理情報としては、例えば、商品情報（シリアル番号、製造番号、品番等）が挙げられる。
【００６９】
部材本体２ｄは、プレート枠に取り付けることができるように構成された化粧プレート６０である。化粧プレート６０は、樹脂製である。これにより、化粧プレート６０は、電気絶縁性を有している。化粧プレート６０は、実施形態１で説明した化粧プレート６０と同じ構成なので、同じ構成要素に同一の符号を付して説明を省略する。プレート枠は、例えば、実施形態１で説明したプレート枠５０である。
【００７０】
化粧プレート６０は、裏面から６本のフック６５が突出して設けられており、フック６５をプレート枠５０の取付孔５５に挿入して取付孔５５の周部に引っ掛けることにより、プレート枠５０に取り付けることができる。
【００７１】
配線器具用部材１ｄは、外部機器６００からの部材本体２ｄに関連する情報を含む無線信号を受信するための受信部７を備えるのが好ましい。そして、制御部９は、受信部７で受信した無線信号に含まれている情報を記憶部４に記憶させるように構成されているのが好ましい。部材本体２ｄは、プレート枠が取付枠に取り付けられた後でプレート枠５０に取り付けられる。部材本体２ｄに関連する情報は、例えば、部材本体２ｄを取り付けるプレート枠５０のプレートねじを取付枠のねじ孔に嵌め合せるために用いた工具の識別番号、プレートねじの締め付けトルク、等である。よって、配線器具用部材１ｄでは、外部機器６００から部材本体２ｄに関連する情報を取得して記憶部４に記憶することが可能となる。
【００７２】
受信部７は、通信モジュール１０に設けられているのが好ましい。言い換えれば、通信モジュール１０は、受信部７を備えているのが好ましい。通信モジュール１０の基本構成は、実施形態１の配線器具用部材１の通信モジュール１０と同じである。
【００７３】
配線器具用部材１ｄにおいて受信部７を備える場合、電源部６は、記憶部４、送信部５及び受信部７それぞれに、動作に必要な電力を供給するように構成されている。
【００７４】
配線器具用部材１ｄは、外部の給電装置１２（図６参照）から受電するように構成される受電部８を備え、受電部８が電源部６に電力を供給するのが好ましい。これにより、配線器具用部材１ｄに外部の給電装置１２から電力を供給することが可能となる。
【００７５】
受電部８は、給電装置１２から磁気結合により受電するように構成されている。言い換えれば、受電部８は、給電装置１２から電磁誘導により受電するように構成されている。これにより、配線器具用部材１ｄでは、化粧プレート６０（図４参照）の裏面側に配設された配線器具用部材１ｄの受電部８が、化粧プレート６０の表面側の給電装置１２から非接触で受電することが可能となり、電源部６に電力を給電することが可能となる。受電部８は、受電コイル８１（図６参照）により構成されている。給電装置１２は、例えば、図６に示すように、直流電源１２１と、給電コイル１２２と、励磁回路１２３と、制御回路１２４と、を備える。励磁回路１２３は、直流電源１２１から給電されて給電コイル１２２に励磁電流を流すように構成されている。制御回路１２４は、励磁回路１２３の動作を制御するように構成されている。これにより、受電部８は、給電装置１２から電磁誘導により受電することが可能となる。
【００７６】
受電部８は、部材本体２ｄに設けられ開口部３（窓孔６３）を囲んでいる。これにより、配線器具用部材１ｄでは、受電部８のサイズを比較的大きくすることが可能となり、簡単な構成で、受電部８において受電する電力を大きくすることが可能となる。また、配線器具用部材１ｄでは、プレート枠５０に取り付ける際に受電部８を取り外す必要がないので、施工後もそのまま使用することができ、建物のリフォーム等の別の機会にも利用することが可能となる。受電コイル８１は、給電装置１２の給電コイル１２２と磁気的に結合されて、給電コイル１２２から電磁誘導により電力を受けるように構成されている。受電コイル８１と通信モジュール１０とは、電気的に接続されている。
【００７７】
受電部８は、金属箔により形成されている。これにより、配線器具用部材１ｄでは、受電部８の厚さを薄くすることが可能となる。金属箔は、部材本体２ｄに貼り付けられている。
【００７８】
外部機器６００（図７及び８参照）は、例えば、配線器具用部材１ｄの施工現場等で使用される工具１１０である。工具１１０としては、例えば、作業対象を回転させて衝撃力を加えることによって締め付ける電動式のインパクトドライバーがある。工具１１０の構成は、実施形態１で説明した構成と同じであり、基本動作も同じである。
【００７９】
実施形態１、実施形態１の第１変形例、第２変形例、実施形態２、実施形態３に記載した材料、数値等は、好ましい例を挙げているだけであり、それに限定する主旨ではない。更に、本願発明は、その技術的思想の範囲を逸脱しない範囲で、構成に適宜変更を加えることが可能である。
【００８０】
例えば、実施形態１の第１変形例の構成を適宜変更して実施形態２、３の構成に加えてもよい。また、実施形態２の第２変形例の構成を適宜変更して実施形態２、３の構成に加えてもよい。
【００８１】
また、配線器具用部材は、電源部が電池により構成されていてもよい。
【００８２】
また、配線器具用部材は、外部機器から給電されるように構成されていてもよい。
【００８３】
また、部材本体は、電気絶縁性を有していればよく、例えば、全部が樹脂により形成されている場合に限らず、一部が金属により形成されていてもよい。また、部材本体は、セラミック等により形成されていてもよい。
【００８４】
また、受電部を金属線からなるコイルにより構成する場合、コイルの形状は、部材本体の形状等に応じて適宜変更でき、また、金属箔の場合に比べてターン数を多くすることが可能である。
【００８５】
また、受電部は、給電装置から電磁結合により受電するように構成される場合に限らず、例えば、給電装置から電界結合若しくは電磁界結合により受電するように構成されていてもよい。給電装置と受電部との間のエネルギの伝達方式は、電磁誘導方式に限らず、例えば、磁界共鳴方式、電界共鳴方式、電波方式等を採用してもよい。
【００８６】
また、外部機器は、配線器具用部材との間で通信を行うことができればよく、工具に限らず、例えば、通信機能を備えた端末でもよい。
【符号の説明】
【００８７】
１、１ａ、１ｂ、１ｃ、１ｄ  配線器具用部材
２、２ｃ、２ｄ  部材本体
３  開口部
４  記憶部
５  送信部
６  電源部
７  受信部
８  受電部
９  制御部
１２  給電装置
２０  取付枠
３０  配線器具
５０  プレート枠
６０  化粧プレート
８１  受電コイル
８３  フィルム状シート
８１１  金属箔
８１２  コイル
１００  造営材
１０１  表面
６００  外部機器
【図１】
0006771171.tif 000002
【図２】
0006771171.tif 000003
【図３】
0006771171.tif 000004
【図４】
0006771171.tif 000005
【図５】
0006771171.tif 000006
【図６】
0006771171.tif 000007
【図７】
0006771171.tif 000008
【図８】
0006771171.tif 000009
【図９】
0006771171.tif 000010
【図１０】
0006771171.tif 000011
【図１１】
0006771171.tif 000012
【図１２】
0006771171.tif 000013
【図１３】
0006771171.tif 000014